(57)【要約】【課題】より簡易な操作で針を覆うことができるプロテクタを提供する。【解決手段】プロテクタ１０は、針本体１５に装着される支持部材１８と、支持部材１８に対して傾動可能に保持されたカバー部材３６と、カバー部材３６に設けられた収納部材３８とを有する。収納部材３８は、針本体１５の先端を覆う収納空間６０と、カバー部材３６の傾動動作に伴って、収納空間６０に針本体１５を案内する案内部６２を有する。【選択図】図１２
2009034128.tif 000002
【特許請求の範囲】
【請求項１】
針体に装着される支持部材と、
前記支持部材に対して傾動可能に保持されたカバー部材と、
前記カバー部材に設けられた収納部材と、
を備えるプロテクタであって、
前記収納部材は、前記針体の少なくとも先端を覆う収納部と、前記カバー部材の傾動動作に伴って、前記収納部に前記針体を案内する案内部とを有する
ことを特徴とするプロテクタ。
【請求項２】
請求項１記載のプロテクタにおいて、
前記収納部材は、弾性部材により形成されていることを特徴とするプロテクタ。
【請求項３】
請求項２記載のプロテクタにおいて、
前記案内部は、互いに接触して配置された一対の弾性面によって形成されており、
前記針体の少なくとも先端は、前記カバー部材の傾動動作に伴って、前記弾性面を変形させながら、前記案内部を通って前記収納部に収納されることを特徴とするプロテクタ。
【請求項４】
請求項２又は３記載のプロテクタにおいて、
前記収納部は、少なくともその一部が前記針体の外径よりも小さい内径を有する略筒形状の空間によって形成されており、
前記針体の少なくとも先端は、前記カバー部材の傾動動作に伴って、前記収納部材の内側に密着することを特徴とするプロテクタ。
【請求項５】
請求項１〜４のいずれか１項に記載のプロテクタにおいて、
前記カバー部材は、前記収納部材を保持する一対の側壁を有し、
前記側壁は、前記案内部に対応する位置では、前記収納部材の外面と離間しており、前記収納部に対応する位置では、前記収納部材の外面と接触していることを特徴とするプロテクタ。
【請求項６】
請求項１〜５のいずれか１項に記載のプロテクタにおいて、
前記収納部材は、溝部と、一端側に設けられたテーパ部とを有する一対の半割部材によって構成されており、一対の前記半割部材を重ね合わせることによって、前記収納部及び前記案内部が形成されることを特徴とするプロテクタ。
【請求項７】
請求項６記載のプロテクタにおいて、
一対の前記半割部材は、折り曲げ可能な連結部によって他端側同士が連結されていることを特徴とするプロテクタ。
【請求項８】
請求項１〜７のいずれか１項に記載のプロテクタにおいて、
前記カバー部材は、前記収納部材の位置ずれを規制する突起部を有することを特徴とするプロテクタ。
【請求項９】
請求項１〜８のいずれか１項に記載のプロテクタにおいて、
前記収納部材は、シリコーンゴムによって構成されていることを特徴とするプロテクタ。
【請求項１０】
請求項１〜９のいずれか１項に記載のプロテクタと、
前記プロテクタの前記支持部材が装着される針体とを有することを特徴とするプロテクタ組立体。
【発明の詳細な説明】
【技術分野】
【０００１】
本発明は採血、輸血、輸液等の作業に用いられる医療用の針を覆うプロテクタ、及び該プロテクタを有するプロテクタ組立体に関する。
【背景技術】
【０００２】
採血、輸血、輸液等の作業には血液バッグ、血液処理回路（成分採血回路、血液透析回路等）の採血器具、輸血セット、輸液セット等に接続して使用する医療用の針が知られている。使用後の針は不用意に触れることがないように例えば特許文献１及び特許文献２で示されるようなプロテクタで覆っておくことが好ましい。このようなプロテクタによれば、シールドを傾動させて針を覆うことができ、不用意に触れることを防止できる。
【０００３】
前記特許文献１に示されるプロテクタでは、針が停止する位置にゲル状部材を配置し、針内に残っている液体を包含させることとしている（特許文献１）。
【０００４】
また、前記特許文献２に示されるプロテクタでは、汚染血液が跳ねる又は大気中に飛散することを避けるため、発泡体、フエルト、綿、紙、ポリウレタン発泡体又はスポンジ等の流体吸収材料により針を包むこととしている（特許文献２）。
【０００５】
【特許文献１】特開２０００−１４０１１０号公報
【特許文献２】特許第３５５３１２４号公報
【発明の開示】
【発明が解決しようとする課題】
【０００６】
しかしながら、特許文献１や特許文献２に開示されているプロテクタは、ゲル部材や流体吸収材料を用いているので、高圧蒸気滅菌を施すことが困難であり、血液バッグ等に使用する場合には生産性が非常に低下する。また、シールドにより覆われた針が脱落する可能性もある。
【０００７】
本発明はこのような課題を考慮してなされたものであり、生産性に優れ、簡易な操作で針を覆うことができるプロテクタ及びプロテクタ組立体を提供することを目的とする。
【課題を解決するための手段】
【０００８】
本発明に係るプロテクタは、針体に装着される支持部材と、前記支持部材に対して傾動可能に保持されたカバー部材と、前記カバー部材に設けられた収納部材と、を備えるものであって、前記収納部材は、前記針体の少なくとも先端を覆う収納部と、前記カバー部材の傾動動作に伴って、前記収納部に前記針体を案内する案内部とを有することを特徴とする。上記のような構成では、カバー部材を傾動させるという簡易な動作により針の少なくとも先端を覆うことができる。
【０００９】
また、前記収納部材は、弾性部材により形成されていることが好ましい。これにより、案内部も弾性部材により形成されることとなり、案内部を介して収納部に針体を案内することが容易となる。また、弾性部材がシリコーンゴム等である場合、エチレンオキサイドガス（ＥＯＧ）滅菌、放射線滅菌だけでなく、高圧蒸気滅菌を施すことも可能となり、生産性を向上させることができる。
【００１０】
上記において、前記案内部は、互いに接触して配置された一対の弾性面によって形成されており、前記針体の少なくとも先端は、前記カバー部材の傾動動作に伴って、前記弾性面を変形させながら、前記案内部を通って前記収納部に収納されることが好ましい。これにより、針体が通過した後の案内部は、弾性面の弾性力により弾性面同士が再度接触することとなる。このため、収納部材内に収納された針体が収納部材の外部に抜け出ることを防止することができる。さらに、針体の少なくとも先端が、収納部材の内部に収納されるため、収納部材により針体の先端を外部から隔離することが可能となる。
【００１１】
上記において、前記収納部は、少なくともその一部が前記針体の外径よりも小さい内径を有する略筒形状の空間によって形成されており、前記針体の少なくとも先端は、前記カバー部材の傾動動作に伴って、前記収納部材の内側に密着することが好ましい。このような構成では、針体の少なくとも先端と収納部材の内側が密着するため、針体の基端側から血液や薬液が漏れ出すことを防止できる。
【００１２】
さらに、前記カバー部材は、前記収納部材を保持する一対の側壁を有し、前記側壁は、前記案内部に対応する位置では、前記収納部材の外面と離間しており、前記収納部に対応する位置では、前記収納部材の外面と接触していることが好ましい。このような構成では、針体が案内部を通るときに収納部材の側面が側壁に向かって押し出されるので、針体を案内し易くなる。一方、針体が収納部に収納されているときは、収納部材の側面が側壁に向かって押し出されないので、針体をしっかり固定することができる。
【００１３】
前記収納部材は、溝部と、一端側に設けられたテーパ部とを有する一対の半割部材によって構成されており、一対の前記半割部材を重ね合わせることによって、前記収納部及び前記案内部が形成されることが好ましい。これにより、部品点数が少なくなり、また、製作や組立てが容易となる。
【００１４】
一対の前記半割部材は、折り曲げ可能な連結部によって他端側同士が連結されていることが好ましい。これにより、半割部材を重ね合わせる際、弾性面同士を正確に位置決めし易くなる。
【００１５】
前記カバー部材は、前記収納部材の位置ずれを規制する突起部を有することが好ましい。これにより、収納部材の位置ずれが規制可能となることで収納部材を精度よく位置決めすることができ、その結果、針体を収納部材の内部に案内することが容易となる。
【００１６】
前記収納部材は、例えば、シリコーンゴムによって構成することができる。
【００１７】
本発明に係るプロテクタ組立体は、前記プロテクタと、前記プロテクタの前記支持部材が装着される針体とを有する。
【発明の効果】
【００１８】
本発明に係るプロテクタによれば、カバー部材を傾動させるという簡易な動作により針体の少なくとも先端を覆うことができる。
【００１９】
また、収納部材をシリコーンゴム等の弾性部材によって構成する場合、エチレンオキサイドガス（ＥＯＧ）滅菌、放射線滅菌だけでなく、高圧蒸気滅菌を施すことも可能であり、生産性に優れる。
【発明を実施するための最良の形態】
【００２０】
以下、本発明に係るプロテクタの一実施形態について、添付の図１〜図１６を参照しながら説明する。
【００２１】
［１．血液バッグの構成］
（１）全体構成
図１に示すように、第１の実施形態に係るプロテクタ１０は、血液バッグ（採血器具）１２に設けられている。血液バッグ１２は、チューブ１３と、チューブ１３の一端に接続された針アセンブリ（針体）１４と、針アセンブリ１４における使用後の針本体１５を覆うプロテクタ１０と、チューブ１３の他端に接続された採血バッグ２１とを有する。プロテクタ１０は、カバー部材３６と、カバー部材３６を傾動可能に保持する支持部材１８と、カバー部材３６に設けられた収納部材３８とを有し、支持部材１８は、血液バッグ１２の針アセンブリ１４に装着されている。なお、プロテクタ１０と、針アセンブリ１４とによって、プロテクタ組立体が構成されている。
【００２２】
（２）採血バッグ
採血バッグ２１は、例えば、ポリ塩化ビニルのような軟質樹脂製の可撓性を有するシート材２１ａを重ね、その周縁のシール部２１ｂにおいて融着（熱融着、高周波融着）又は接着し、袋状としたものである。この採血バッグ２１のシール部２１ｂで囲まれた内側の空間には、採血血液を貯留する貯留空間２１ｃが形成されている。また、採血バッグ２１の上部には、ピールタブにより開封可能に封止された２つの開口部２１ｄが形成されている。なお、貯留空間２１ｃ内には、例えば、ヘパリンナトリウム液、ＡＣＤ−Ａ液、ＣＰＤ液、ＣＰＤ−Ａ液のような抗凝固剤が予め入れられていてもよい。
【００２３】
また、採血バッグ２１には、１つ又は複数のバッグがチューブによって接続されてもよい。
【００２４】
（３）チューブ
チューブ１３としては、軟質ポリ塩化ビニル、ポリオレフィン等が使用できる。また、チューブ１３は途中に検査用血液を採取する分岐チューブが接続されていてもよい。
【００２５】
（４）針アセンブリ（針体）
図２及び図３に示すように、針アセンブリ１４は、針本体１５と、針本体１５をチューブ１３に接続するための多段円筒形状のハブ１６とを有する。針本体１５は中空針であり、ステンレス鋼、アルミニウム、チタンのような金属又はポリフェニレンサルファイドのような硬質樹脂で構成されている。以下の説明では、図２及び図３のＸ１方向を前方、逆のＸ２方向を後方、その端部を後端とする。図２及び図３のＹ１方向を上方、逆のＹ２方向を下方とする。図２及び図３のＺ１方向を左側方、逆のＺ２方向を右側方とする。これらの呼び方については、後述する図４及び図７〜図１４においても同様である。針アセンブリ１４に対して傾動する部材（カバー部材３６）については、傾動中心に近い方を基端側、傾動中心から遠い方を先端側とする。これらの方向の定義は、説明の便宜上のものであり、実際の使用時にはこの方向に限定されることはない。
【００２６】
（５）プロテクタ
（ａ）プロテクタの全体構成
図２及び図３に示すように、プロテクタ１０は、針アセンブリ１４に装着される支持部材１８と、支持部材１８に対して針本体１５の方向に傾動可能（回動可能）に設けられたカバー部材３６と、該カバー部材３６の先端内部に配置された収納部材３８とを有する。
【００２７】
（ｂ）支持部材
支持部材１８は、ハブ１６の後方の中空部材１６ａが挿入される筒部２０と、該筒部２０の左右に設けられた弾性翼部２２と、筒部２０の後方に設けられたプロテクタ支持部２４とを有する。プロテクタ支持部２４は、左右一対の耳片部２６と、各耳片部２６に設けられた軸切欠部２８と、左右の軸切欠部２８の前方及び上方を覆う第１アーチ部３０と、該第１アーチ部３０の後方で軸方向に延在する第２アーチ部３２とを有する。第１アーチ部３０と第２アーチ部３２は向きが９０°異なる。
【００２８】
中空部材１６ａはチューブ１３に挿入可能な径であって、中空部材１６ａがチューブ１３に挿入されることにより針本体１５の後端はチューブ１３に連通する。
【００２９】
軸切欠部２８は、側面視で筒部２０よりもやや高い位置まで達している。筒部２０は前方及び後方に開口しており、中空部材１６ａの後端部は該筒部２０を介してプロテクタ支持部２４の後端まで達する。筒部２０は中空部材１６ａを回転自在に保持する。第２アーチ部３２は、チューブ１３の外径に等しい径の円弧の断面略半円形状であり、左右の耳片部２６の間に設けられている。
【００３０】
左右の耳片部２６の間隔はチューブ１３の外径に略等しい。耳片部２６における第２アーチ部３２よりも高い部分は、軸切欠部２８の頂部２８ａを中心とした略９０°の円弧形状であり、第２アーチ部３２よりも低い部分はチューブ１３の側面を保持する板形状となっている。
【００３１】
針アセンブリ１４の中空部材１６ａを筒部２０に通し、該筒部２０から突出した部分をチューブ１３に挿入及び固定することにより、針本体１５は支持部材１８によって回転自在に保持されるとともに、チューブ１３は、第２アーチ部３２及び左右の耳片部２６の下方部によって支持される。軸切欠部２８の頂部２８ａには、プロテクタ１０の軸部材４０が挿入可能な隙間が確保される。
【００３２】
（ｃ）カバー部材
カバー部材３６は、針アセンブリ１４の軸切欠部２８の頂部２８ａに挿入される軸部材４０と、この軸部材４０により支持部材１８に軸支された２本のアーム４２と、該アーム４２の先端側に設けられた収納ケース４４とを有する。カバー部材３６は、適度な強度を有することが望ましく、材質としては、例えばポリカーボネイトを用いることができる。
【００３３】
軸部材４０は２本のアーム４２の各基端部間を接続している。軸部材４０は、頂部２８ａに挿通可能な径であり、針アセンブリ１４の中空部材１６ａを筒部２０に通す以前に、下方から軸切欠部２８に入れておく。軸部材４０はカバー部材３６の回転中心となる。これにより、チューブ１３が軸切欠部２８の一部を塞いで軸部材４０及びアーム４２を傾動可能（回動可能）に軸支することができ、カバー部材３６を軸支する機構を簡便に実現できるとともに組立てが容易である。
【００３４】
２本のアーム４２は内側面が各耳片部２６の左右側面（支持面）２６ａに当接する間隔に設けられており、カバー部材３６が安定して傾動（回動）することができる。
【００３５】
収納ケース４４は、アーム４２と平行な２つの側壁４６と、この２つの側壁４６を先端側で連結する先端壁４８と、２つの側壁４６及び先端壁４８と垂直に接する下壁５０とから構成されている。収納ケース４４の内部は空洞であり、二方（図２のＹ１方向及びＸ１方向）が開口した略直方体状である。収納ケース４４の先端側には、収納部材３８が嵌め込まれる。
【００３６】
図４に示すように、収納部材３８が嵌め込まれる位置には、収納部材３８の位置ずれを規制する複数の突起部５２ａ、５２ｂが設けられている。
【００３７】
突起部５２ａは、側壁４６及び先端壁４８の内側上端（図４におけるＹ１側）において下壁５０に平行に形成されたものであり、突起部５２ｂは、側壁４６内側において上下方向（図４のＹ１、Ｙ２方向）に形成されたものである。下壁５０のうち突起部５２ａに対応する位置には、孔５３が形成されている。この孔５３を設けることにより、収納ケース４４に収納部材３８を装着する際に、収納ケース４４が多少変形するので、組立て易い。
【００３８】
（ｄ）収納部材
図８に示すように、収納部材３８は、カバー部材３６の傾動動作により針本体１５の先端１５ａと接触する位置に設けられている。針本体１５の先端１５ａは、針本体１５のうち斜めにカットされている部分を指す。収納部材３８の幅は、カバー部材３６の収納ケース４４の２つの側壁４６間の幅と同一又はこれらの幅より若干広く、その長さは、針本体１５の長さの約半分であり、その高さは、カバー部材３６の収納ケース４４の高さより若干低い。
【００３９】
図５は、プロテクタ１０の収納部材３８の斜視図である。図６は、カバー部材３６（収納ケース４４）に嵌め込むために収納部材３８を変形させた状態を示す斜視図である。
【００４０】
図５及び図６に示すように、収納部材３８は、略直方体状の２つの半割部材５４を組み合わせて構成される。２つの半割部材５４は、面対称の形状であり、それぞれの一端で薄い連結部５８において折曲げ可能に連結されている。収納部材３８は、針本体１５が押し当てられると弾性変形する素材（例えば、シリコーンゴム）から構成される。
【００４１】
連結部５８が折り曲げられることで半割部材５４同士が接触する側（半割部材５４同士を組み合わせた際に内側になる側）には、連結部５８を挟んで２本の断面略矩形状の溝部５５が形成されている。溝部５５の作用については後述する。それぞれの溝部５５の外側には断面略半円形状の溝部６１が形成されている。また、それぞれの溝部６１の外側には弾性面５９が形成されている。さらに、それぞれの弾性面５９の外側には、テーパ部５６が形成されている。
【００４２】
図６に示すように、２つの溝部６１が組み合わさることにより、針本体１５を収納する収納空間（収納部）６０が形成される。また、２つの弾性面５９が組み合わさることにより案内部６２が形成される。
【００４３】
図２及び図６に示すように、収納部材３８がカバー部材３６（収納ケース４４）内に配置される際には、連結部５８を折り曲げ、半割部材５４の弾性面５９同士を接触させた状態とする。連結部５８が折り曲がると、該連結部５８には曲げ応力が発生する。ここで、連結部５８と収納空間６０の間に溝部５５が存在することにより、この応力が逃がされ、収納空間６０周辺には影響がなく、該収納空間６０を断面円形に保つことができる。
【００４４】
図５及び図６に示すように、半割部材５４同士を組み合わせた際に外側になる側（弾性面５９と反対の側）には、断面略台形状の溝部５７が形成されている。この溝部５７は、弾性面５９（案内部６２）に対応する位置に形成されている。この溝部５７の作用については後述する。
【００４５】
図５に示すように、収納部材３８は、長手方向（溝５５、５７、６１が形成されている方向）にその断面形状が一様である。このため、収納部材３８は大量生産が容易である。例えば、断面形状が一様の部材を押出成型等の方法により連続的に作成し、所定の長さに切断すれば複数の収納部材３８を容易に製造することができる。
【００４６】
上述したように、半割部材５４同士を組み合わせることにより、収納部材３８には、収納空間６０と案内部６２が形成される。
【００４７】
収納空間６０は、針本体１５の先端１５ａを収納部材３８の内部で収納するものであり、略筒状の空間からなる。この略筒状の空間は、針本体１５の外径よりも小さな外径を有している（図１２参照）。これにより、収納部材３８に針本体１５が収納された際、針本体１５と収納空間６０周辺の収納部材３８が密着する。これにより、針本体１５の基端側に向かって血液が漏れ出すのを防ぐことができる。
【００４８】
案内部６２は、収納部材３８の外部から収納空間６０へと針本体１５を案内する。上述したように、案内部６２の外側にはテーパ部５６が形成されている（図６参照）。これにより、操作者が針本体１５を案内部６２に入れやすくなる。案内部６２は、上述した連結部５８が形成されている側面と対向する側面にその入り口が現れるように形成されている。
【００４９】
上述したように、収納部材３８の幅（図３のＺ１及びＺ２の方向）は、収納ケース４４の２つの側壁４６間の幅と同じ又はこの幅より若干広く、また、各半割部材５４には溝部５７が形成されている。このため、収納部材３８は、溝部５７以外の側面で収納ケース４４の側壁４６と接触し、溝部５７では、側壁４６と接触しない。このため、針本体１５が案内部６２を通るときに収納部材３８の側面が側壁４６に向かって押し出されるので、針本体１５を案内し易くなる。一方、針本体１５が収納空間６０に収納されているときは、収納部材３８の側面が側壁４６に向かって押し出されないので、針本体１５をしっかり固定することができる。
【００５０】
また、突起部５２ｂ（図４参照）の先端側の側面と先端壁４８の距離は、収納部材３８の長さよりも若干短く設定されている。このため、収納部材３８が収納ケース４４内に配置されると、収納部材３８は、突起部５２ｂから先端側に向かう押圧力を受けることで、収納部材３８と先端壁４８とが密着する。これにより、収納空間６０の先端壁４８側は閉塞される。
【００５１】
［２．プロテクタの使用方法］
以下、上述したプロテクタ１０の使用方法について説明する。
【００５２】
先ず、医療従事者等の操作者は、針本体１５からキャップ１７を取り外し、該針本体１５をドナー（患者を含む。）の静脈に穿刺して、採血を行う。
【００５３】
図３に示すように、プロテクタ１０は、後方側に倒しておく。血液は針本体１５からチューブ１３を通って採血バッグ２１に収容される。採血中は、弾性翼部２２をドナーの腕等の部位に固定しておくことができ、しかもプロテクタ１０のアーム４２は一対の耳片部２６の左右側面２６ａに当接して保持されており、安定した状態で採血が可能である。血液を適切に得るために、針本体１５を支持部材１８に対して回転させ、向きを調整してもよい。採血が終了した後、針本体１５をドナーの腕から抜く。
【００５４】
次に、図７に示すように、軸部材４０を中心としてプロテクタ１０を傾動させて針本体１５の方向に倒す。このとき、アーム４２は一対の耳片部２６の左右側面２６ａに当接して保持されており、安定した状態で傾動が可能である。
【００５５】
カバー部材３６内の収納部材３８が針本体１５に当接し（図８参照）、さらにカバー部材３６が針本体１５に向かって押し込まれると（図９参照）、針本体１５が押し当てられることで案内部６２の弾性面５９が弾性変形し、針本体１５は、案内部６２内を進む（図１０参照）。この際、収納部材３８には溝部５７が形成され、溝部５７とカバー部材３６の側壁４６の間に隙間６３が形成されているため、収納部材３８の側面は、側壁４６に向かって押し出される（図１１参照）。また、針本体１５からの押圧力がなくなると案内部６２は元の閉塞状態に戻る。そして、最終的に、針本体１５は、収納空間６０に到達し、そこに保持される（図１２〜図１４参照）。ここで、上述したように、収納空間６０の外径は、針本体１５の外径よりも適度に小さく構成されている。このため、針本体１５は、収納空間６０周辺の収納部材３８から常に圧力がかかった状態となり、収納部材３８と針本体１５とは密着する。従って、針本体１５の先端１５ａから血液が漏れ出したとしても、針本体１５の基端側への血液の漏出が防止される。
【００５６】
［３．本実施形態の効果］
上述のように本実施形態に係るプロテクタ１０は、収納部材３８が、針本体１５（針アセンブリ１４）の少なくとも先端１５ａを覆う収納空間６０と、カバー部材３６の傾動動作に伴って、収納空間６０に針本体１５を案内する案内部６２とを有する。このような構成では、カバー部材３６を傾動させるという簡易な動作により針本体１５の先端１５ａを収納部材３８の内部に収納することができる。
【００５７】
また、収納部材３８が、弾性部材（シリコーンゴム）により形成されている。これにより、案内部６２も弾性部材により形成されることとなり、案内部６２を介して収納空間６０に針本体１５を案内することが容易となる。また、収納部材３８がシリコーンゴムによって構成されているので、エチレンオキサイドガス（ＥＯＧ）滅菌、放射線滅菌だけでなく、高圧蒸気滅菌を施すことも可能であり、生産性を向上させることができる。
【００５８】
さらに、案内部６２が、互いに接触して配置された一対の弾性面５９によって形成されており、針本体１５の少なくとも先端１５ａは、カバー部材３６の傾動動作に伴って、弾性面５９を変形させながら、案内部６２を通って収納空間６０に収納される。これにより、針本体１５が通過した後の案内部６２は、弾性面５９の弾性力により弾性面５９同士が再度接触することとなる。このため、収納部材３８内に収納された針本体１５が収納部材３８の外部に抜け出ることを防止することができる。
【００５９】
つまり、一旦、収納空間６０に収納された針本体１５には液漏れを防止する程度の押圧力しか加わらず、安定して保持される。一方、カバー部材３６を元の位置に戻そうと力を加えると、案内部６２の弾性面５９を再度弾性変形させなければならず、ある程度の力が必要であり、しかも収納空間６０には、テーパ部５６のようなテーパ形状部がないため、針本体１５は容易には案内部６２に戻ることがない。
【００６０】
また、針本体１５の先端１５ａが、収納部材３８の内部に収納されるため、収納部材３８により針本体１５の先端１５ａを外部から隔離し、操作者が不用意に触わることを防止できる。
【００６１】
さらに、収納空間６０は、針本体１５の外径よりも小さい内径を有する略筒形状の空間によって形成されており、針本体１５の先端１５ａは、カバー部材３６の傾動動作に伴って、収納部材３８の内側に密着する。このような構成では、針本体１５の先端１５ａと収納部材３８の内側が密着するため、針本体１５の基端側から血液が漏れ出すことを防止できる。
【００６２】
さらにまた、カバー部材３６は、収納部材３８を保持する一対の側壁４６を有し、側壁４６は、案内部６２に対応する位置では、収納部材３８の外面と離間しており、収納空間６０に対応する位置では、収納部材３８の外面と接触している。このような構成では、針本体１５が案内部６２を通るときに収納部材３８の側面が側壁４６に向かって押し出されるので、針本体１５を案内し易くなる。一方、針本体１５が収納空間６０に収納されているときは、収納部材３８の側面が側壁４６に向かって押し出されないので、針本体１５をしっかり固定することができる。
【００６３】
収納部材３８は、溝部６１と、一端側に設けられたテーパ部５６とを有する一対の半割部材５４によって構成されており、一対の半割部材５４を重ね合わせることによって、収納空間６０及び案内部６２が形成される。これにより、部品点数が少なくなり、また、製作や組立てが容易となる。
【００６４】
また、一対の半割部材５４は、折り曲げ可能な連結部５８によって他端側同士が連結されている。これにより、半割部材５４を重ね合わせる際、弾性面５９同士を正確に位置決めし易くなる。
【００６５】
カバー部材３６は、収納部材３８の位置ずれを規制する突起部５２ａ、５２ｂを有する。これにより、収納部材３８の位置ずれが規制可能となることで収納部材３８を精度よく位置決めすることができ、その結果、針本体１５を収納部材３８の内部に案内することが容易となる。
【００６６】
［４．変形例］
本発明に係るプロテクタは、上述の実施形態に限らず、本発明の要旨を逸脱することなく、種々の構成を採り得ることはもちろんである。例えば、以下の（１）〜（５）の構成を採ることができる。
【００６７】
（１）プロテクタ
上記実施形態に係るプロテクタ１０は、血液バッグ１２の針アセンブリ１４に用いたが、これに限られない。例えば、成分採血回路、血液透析回路等の血液処理回路、輸血セット、輸液セット等の他の医療用針に対しても用いることができる。
【００６８】
（２）カバー部材（収納ケース）
上記実施形態では、カバー部材３６をポリカーボネイト製としたが、これに限られない。例えば、ポリカーボネイト以外のプラスチック製や、アルミニウム等の金属製とすることも可能である。
【００６９】
また、収納ケース４４の形状は、必ずしも直方体状にする必要はなく、収納部材３８の形状等の要因に応じて適宜変更可能である。
【００７０】
さらに、上記実施形態では、収納部材３８をカバー部材３６の収納ケース４４内に嵌め込むことにより固定したが、接着、融着等他の方法で固定することもできる。
【００７１】
（３）収納部材
上記実施形態では、収納部材３８を構成する弾性部材としてシリコーンゴムを用いたが、その他の弾性部材を用いてもよい。例えば、シリコーンゴム以外のゴム｛ニトリルゴム（ＮＢＲ）等｝や弾性樹脂材料を用いることができる。
【００７２】
上記実施形態では、収納部材３８を２つの半割部材５４から構成したが、これに限られない。例えば、収納部材３８を１つの部材や３つ以上の部材で構成してもよい。
【００７３】
弾性面５９以外の部分について、適度に硬質の材料から構成することも可能である。
【００７４】
上記実施形態では、収納部材３８は、先端１５ａを含む針本体１５の一部をその内部に収納したが、針本体１５の全体を収納してもよい。また、収納する針本体１５の範囲は任意に設定可能である。
【００７５】
上記実施形態では、収納部材３８の溝部５７の形状を断面略台形状としたが、溝部５７の形状は適宜変更可能である。また、溝部５７を設けない構成も可能である。
【００７６】
（４）収納空間及び案内部
上記実施形態では、案内部６２に加え、収納空間６０を設けたが、必ずしも案内部６２と離間して収納空間６０を設ける必要はない。例えば、収納空間６０と案内部６２とが連続的に設けられるような構成も可能である。この場合、収納ケース４４内腔のいずれかの箇所に針本体１５の抜け止め用の突起を設けるとよい。
【００７７】
上記実施形態では、針本体１５と収納部材３８を収納空間６０で密着させることにより収納空間６０を針本体１５の基端側で閉塞させ、針本体１５と収納ケース４４の先端壁４８とを密着させることにより収納空間６０を針本体１５の先端１５ａ側で閉塞させ、２つの弾性面５９同士の接触により収納空間６０を案内部６２側で閉塞させることにより、収納空間６０全体を密封空間としたが、必ずしも密封空間とする必要はない。
【００７８】
また、収納空間６０を密封空間とする方法はこれに限られない。例えば、図１５に示すように、片側に底部を設けた断面略半円状の溝部６１ａを設けることにより片側有底筒状の空間とされた収納空間６０ａを有する収納部材３８ａを用いることで、収納空間６０のうち針本体１５の先端１５ａ側を初めから閉塞しておくことも可能である。このような構成では、収納空間（収納部）６０ａの先端側から血液や薬液が漏れ出すおそれをより小さくすることができる。
【００７９】
或いは、図１６に示すように、単なる断面略半円状ではなく、針本体１５の先端１５ａ側の断面形状をより大きくした溝部６１ｂを設けることにより針本体１５の先端１５ａ側により大きな空間を形成した収納空間（収納部）６０ｂを有する収納部材３８ｂを用いることもできる。このような構成では、仮に針本体１５から血液や薬液が漏れ出してきても上記より大きな空間に溜めておくことができる。
【００８０】
さらに、収納空間６０内に、液体吸収性の繊維や樹脂等の液体吸収材を設けてもよい。このような液体吸収材を設けることにより、仮に、針本体１５の先端１５ａから血液や薬液が漏れ出たとしても液体吸収材が吸収するため、収納部材３８の外部に漏出することを防ぐことができる。
【００８１】
また、収納空間６０を保持することができるものであれば、筒状以外の形状の空間から収納空間６０を構成することもできる。例えば、円錐状の空間であってもよい。
【００８２】
上記実施形態では、案内部６２は、弾性面５９同士が接触することで通常閉塞するものとしたが、通常開口していてもよい。
【００８３】
（５）その他
上記実施形態では、収納部材３８の位置ずれを規制する突起部５２ａ、５２ｂを設けたが、突起部５２ａ、５２ｂのいずれか又は両方を設けない構成も可能である。
【００８４】
収納部材３８の溝部５７の代わりに、収納ケース４４に溝部を設けることにより、収納部材３８と収納ケース４４の間に隙間６３を形成するような構成も可能である。
【図面の簡単な説明】
【００８５】
【図１】血液バッグの構成図である。
【図２】一実施形態に係るプロテクタの分解斜視図である。
【図３】上記実施形態に係るプロテクタの斜視図である。
【図４】上記実施形態に係るプロテクタのカバー部材の一部拡大透視斜視図である。
【図５】上記実施形態に係るプロテクタの収納部材の斜視図である。
【図６】図４のカバー部材に嵌め込むために図５の収納部材を変形させた状態を示す斜視図である。
【図７】上記実施形態に係るプロテクタを、カバー部材を針に対して傾動させている一状態を示す一部断面側面図である。
【図８】上記実施形態に係るプロテクタの収納部材が針本体に当接した状態を示す一部断面側面図である。
【図９】上記実施形態に係るプロテクタに対し、針本体が収納部材の案内部を通過している状態を示す一部断面側面図である。
【図１０】図９の状態における針本体の先端及びその近傍を示す一部断面斜視図である。
【図１１】図９のＡ−Ａ線断面図である。
【図１２】上記実施形態に係るプロテクタの収納空間に針本体が収納された状態を示す一部断面側面図である。
【図１３】図１２の状態を底面側から見た図である。
【図１４】図１２の状態における針本体の先端及びその近傍を示す一部断面斜視図である。
【図１５】収納部材の第１の変形例を示す図である。
【図１６】収納部材の第２の変形例を示す図である。
【符号の説明】
【００８６】
１０…プロテクタ                      １４…針アセンブリ（針体）
１５…針本体                          １５ａ…針本体の先端
１８…支持部材                        ３６…カバー部材
３８…収納部材                        ４６…側壁
５２ａ、５２ｂ…突起部                ５４…半割部材
５６…テーパ部                        ５８…連結部
５９…弾性面                          ６０、６０ａ、６０ｂ…収納空間（収納部）
６１、６１ａ、６１ｂ…溝部            ６２…案内部
６３…隙間
【図１】
2009034128.tif 000003
【図２】
2009034128.tif 000004
【図３】
2009034128.tif 000005
【図４】
2009034128.tif 000006
【図５】
2009034128.tif 000007
【図６】
2009034128.tif 000008
【図７】
2009034128.tif 000009
【図８】
2009034128.tif 000010
【図９】
2009034128.tif 000011
【図１０】
2009034128.tif 000012
【図１１】
2009034128.tif 000013
【図１２】
2009034128.tif 000014
【図１３】
2009034128.tif 000015
【図１４】
2009034128.tif 000016
【図１５】
2009034128.tif 000017
【図１６】
2009034128.tif 000018